(57)【要約】【課題】  パンチユニット装置のジャム処理時において、穿孔部材がシート搬送路から退避されていることを確実に判別することができるようにする。【解決手段】  パンチ孔を穿孔するポンチ５３に出没動作を行なわせる回転駆動体５０の回転軸５１に、ジャム処理ダイヤル部７０が固定され、その外周には係止部７２が設けられている。ロック部材７３の先端係合部７３１は、回転軸５１が一方向に回転されたときのみ、係止部７２と実際に係合されるよう構成されている。すなわち、回転軸５１の回転方向が、ポンチ５３による穿孔動作のための回転方向と、ジャム処理ダイヤル７によるジャム処理のための回転方向とが相反方向とされており、係止部７２とロック部材の先端係合部７３１とは、前記ジャム処理のための回転方向に回転軸５１が回転されたときにのみ互いに係合され、かかる係合が行われたとき、ポンチ５３がシート搬送路６から退避するよう構成されている。【選択図】      図６
2005096005.tif 000002
【特許請求の範囲】
【請求項１】
パンチ孔が穿孔されるべきシートが搬送されるシート搬送路と、
回転駆動体の回転に応じて、穿孔部材が周期的に前記シート搬送路の垂直方向に突出されることで、前記シート搬送路を搬送されるシートにパンチ孔を穿孔する穿孔手段と、
前記回転駆動体の回転軸に固定されるジャム処理ダイヤルとを備えるパンチユニット装置において、
前記ジャム処理ダイヤルには、前記シート搬送路から前記穿孔部材が退避された状態における回転駆動体の回転軸の回転位置において、その回転動作をロック可能とするロック機構が付設されていることを特徴とするパンチユニット装置。
【請求項２】
ジャム処理ダイヤルが円板状の部材で構成され、該ジャム処理ダイヤルの外周縁に設けられた係止部と、該係止部に係合可能とされ、係合状態においてジャム処理ダイヤルの回転動作をロックさせるロック部材とで、前記ロック機構が構成されていることを特徴とする請求項１記載のパンチユニット装置。
【請求項３】
ジャム処理ダイヤルに円筒状の胴部が一体的に設けられ、この胴部の表面に設けられた係止部と、該係止部に係合可能とされ、係合状態においてジャム処理ダイヤルの回転動作をロックさせるロック部材とで、前記ロック機構が構成されていることを特徴とする請求項１記載のパンチユニット装置。
【請求項４】
前記回転軸の回転方向が、穿孔手段による穿孔動作のための回転方向と、ジャム処理ダイヤルによるジャム処理のための回転方向とが相反方向とされており、
前記ロック機構における係止部とロック部材とは、前記ジャム処理のための回転方向に回転軸が回転されたときにのみ互いに係合されるよう構成されていることを特徴とする請求項２又は請求項３のいずれかに記載のパンチユニット装置。
【請求項５】
前記ロック機構における係止部は、前記ジャム処理ダイヤルの外周縁若しくは前記胴部の表面に設けられた段差部であり、
前記ロック機構におけるロック部材は付勢力を与えられて、前記ジャム処理ダイヤルの外周縁若しくは前記胴部の表面にその一部が常時当接しており、
穿孔駆動のための回転方向に前記回転軸が回転されたとき、前記ロック部材は前記段差部を乗り越える一方で、
ジャム処理のための回転方向に前記回転軸が回転されたとき、前記ロック部材は前記段差部と互いに係合する
ことを特徴とする請求項４記載のパンチユニット装置。
【請求項６】
前記ロック部材の、ジャム処理ダイヤルの外周縁若しくは前記胴部の表面への当接部に、従動コロを配置したことを特徴とする請求項５記載のパンチユニット装置。
【発明の詳細な説明】
【技術分野】
【０００１】
本発明は、複写機等の画像形成装置から排出された記録紙に、ファイリング用のパンチ孔等を自動的に穿孔するためのパンチユニット装置に関するものである。
【背景技術】
【０００２】
複写機等の画像形成装置から排出された画像形成済みの記録紙（シート）に対して、パンチ孔を穿孔する後処理を行うパンチユニット装置は、複写機本体の記録紙排出口やソーター排出側に連設され、排出されてきた記録紙をシート搬送路上において一旦停止させて位置決めした状態で、記録紙の適所にポンチ等の穿孔部材を降下駆動させてパンチ孔を形成するものである。そして前記穿孔部材の降下駆動方式としては、回転駆動体の回転に応じて、穿孔部材を周期的に前記シート搬送路の垂直方向に突出させる方式が一般的に採用されている。具体的には、例えば特許文献１に開示されているような、回転駆動体の回転軸を中心に回転するポンチとダイスとから構成されるロータリーパンチャーや、例えば特許文献２に開示されているような、回転駆動体の回転軸としての偏心カム軸に固定された偏心カムによりスプリングポンチを上下方向に押圧する偏心カム式パンチャー等が知られている。
【０００３】
上記のようなロータリーパンチャーや偏心カム式パンチャーを用いて穿孔動作を行わせる場合、シート穿孔中に紙詰まり等が生じて装置が停止したようなときに、ポンチにシートが噛まれてしまい簡易にジャム処理ができなくなるという危惧がある。すなわち、シート搬送路上のシートに対してポンチを降下させ、まさにシートに穿孔を行っている最中に本体装置が停止してしまうと、穿孔位置、つまりシートをポンチが貫通している状態で静止することとなり、このような状態で無理矢理シートを引き抜こうとすると、シートが破損したり、シート片がポンチ近傍に残留して不具合を生じることになるのである。
【０００４】
このような問題に鑑み、特許文献１では、ロータリーパンチャーの回転軸に固定されているジャム処理ダイヤルに目印を付与しておき、この目印を所定のマーク位置に合わせたときにポンチがシート搬送路上から退避するホームポジションになるようにする方法が開示されている。この方法によれば、ジャム処理時においてユーザーは、ジャム処理ダイヤルの目印を前記マーク位置に合わせる目視操作を行い、ロータリーパンチャーをホームポジションに戻し（ポンチを退避させ）、ジャム処理作業を行うことになる。
【特許文献１】特開平１１−１３９６７５号公報
【特許文献２】特開平５−１６２９１９号公報
【発明の開示】
【発明が解決しようとする課題】
【０００５】
しかしながら、特許文献１の方法によると、ジャム処理ダイヤルの目印を目視にて合わせる作業が必要となるが、かかる作業は実際のジャム処理作業時においては面倒なものである。つまり、ジャム処理ダイヤルを単に回すだけでは足りず、目印を所定のマーク位置に合わせることに注意を払いつつシートを取り除くという煩わしい動作が必要となり、加えて装置の構造上、前記目印が目視しずらい位置にある場合などにおいては、その煩わしさはより増大する。このように、従来技術においてはロータリーパンチャーがホームポジションに位置しているかが容易に確認できないものであるため、何らかの改善が求められていた。
【０００６】
本発明はこのような問題に鑑み、パンチユニット装置のジャム処理時において、穿孔部材がシート搬送路から退避されていることを、ジャム処理ダイヤル等の目視等を要することなく確実に判別することができる機構を備えたパンチユニット装置を提供することを目的とする。
【課題を解決するための手段】
【０００７】
本発明の請求項１に記載のパンチユニット装置は、パンチ孔が穿孔されるべきシートが搬送されるシート搬送路と、回転駆動体の回転に応じて、穿孔部材が周期的に前記シート搬送路の垂直方向に突出されることで、前記シート搬送路を搬送されるシートにパンチ孔を穿孔する穿孔手段と、前記回転駆動体の回転軸に固定されるジャム処理ダイヤルとを備えるパンチユニット装置において、前記ジャム処理ダイヤルには、前記シート搬送路から前記穿孔部材が退避された状態における回転駆動体の回転軸の回転位置において、その回転動作をロック可能とするロック機構が付設されていることを特徴とするものである。
【０００８】
請求項２に記載のパンチユニット装置は、請求項１において、ジャム処理ダイヤルが円板状の部材で構成され、該ジャム処理ダイヤルの外周縁に設けられた係止部と、該係止部に係合可能とされ、係合状態においてジャム処理ダイヤルの回転動作をロックさせるロック部材とで、前記ロック機構が構成されていることを特徴とする。
【０００９】
請求項３に記載のパンチユニット装置は、請求項１において、ジャム処理ダイヤルに円筒状の胴部が一体的に設けられ、この胴部の表面に設けられた係止部と、該係止部に係合可能とされ、係合状態においてジャム処理ダイヤルの回転動作をロックさせるロック部材とで、前記ロック機構が構成されていることを特徴とする。
【００１０】
請求項４に記載のパンチユニット装置は、請求項２又は３において、前記回転軸の回転方向が、穿孔手段による穿孔動作のための回転方向と、ジャム処理ダイヤルによるジャム処理のための回転方向とが相反方向とされており、前記ロック機構における係止部とロック部材とは、前記ジャム処理のための回転方向に回転軸が回転されたときにのみ互いに係合されるよう構成されていることを特徴とする。
【００１１】
請求項５に記載のパンチユニット装置は、請求項４において、前記ロック機構における係止部は、前記ジャム処理ダイヤルの外周縁若しくは前記胴部の表面に設けられた段差部であり、前記ロック機構におけるロック部材は付勢力を与えられて、前記ジャム処理ダイヤルの外周縁若しくは前記胴部の表面にその一部が常時当接しており、穿孔駆動のための回転方向に前記回転軸が回転されたとき、前記ロック部材は前記段差部を乗り越える一方で、ジャム処理のための回転方向に前記回転軸が回転されたとき、前記ロック部材は前記段差部と互いに係合することを特徴とする。
【００１２】
請求項６に記載のパンチユニット装置は、請求項５において、前記ロック部材の、ジャム処理ダイヤルの外周縁若しくは前記胴部の表面への当接部に、従動コロを配置したことを特徴とする。
【発明の効果】
【００１３】
請求項１に記載のパンチユニット装置によれば、シート搬送路から前記穿孔部材が退避された状態における回転駆動体の回転軸の回転位置において、その回転動作をロック可能とするロック機構を設けたので、ジャム処理ダイヤルを目視して操作せずとも、単に回転させて前記ロック機構によりロックさせれば、自ずと穿孔部材がシート搬送路から退避された状態となる。従って、シート詰まりの状況を見ながらジャム処理ダイヤルを手探り状態で回動させて穿孔部材をマニュアル移動させ、ジャム処理ダイヤルがロックされたら詰まったシートを取り除くといった作業を行うことができ、ユーザーの負担が格段に軽減されるようになるという効果を奏する。
【００１４】
請求項２に記載のパンチユニット装置によれば、ジャム処理ダイヤルの外周縁に係止部を設け、該係止部に係合するようロック部材を設けるという簡易な仕組みで上記ロック機構が構成されるので、さほど部品点数を増加させることなく、また機構の複雑化を招くことなく、本発明の目的を達成することができる。
【００１５】
請求項３に記載のパンチユニット装置によれば、ジャム処理ダイヤル本体にロック機構を設けるのではなく、ジャム処理ダイヤルに一体的に設けた円筒状胴部にロック機構を設けるので、ユーザーが触手するダイヤルにロック用の凹凸等を設けずとも良くなり、ダイヤル操作性を損なうことなく、本発明の目的を達成することができる。
【００１６】
請求項４に記載のパンチユニット装置によれば、穿孔手段による穿孔動作のための回転方向（順方向）と、ジャム処理ダイヤルによるジャム処理のための回転方向とが相反方向とし、ロック機構における係止部とロック部材とが、ジャム処理のための回転方向に回転軸が回転されたときにのみ互いに係合されるようにしたので、通常の穿孔動作時にロック機構が回転駆動体による回転動作を阻害することがない一方で、ジャム処理時においては回転軸を順方向とは逆の方向に回すことで、穿孔部材がシート搬送路から退避された状態において回転動作をロックできるようになる。
【００１７】
特に請求項５に記載のパンチユニット装置によれば、ロック部材に付勢力を常時与えるようにすることで、穿孔動作のための順方向回転時にはロック部材と段差部とが係合せずに飛び越え、ジャム処理時の逆方向回転時にはロック部材と段差部とが互いに係合するという動作を自動的に行わせることができ、本発明の目的を達成する上でより好ましい態様である。なお、この場合ロック部材がジャム処理ダイヤルの外周縁若しくは前記胴部の表面と常時当接することになるので、請求項６にかかる発明のように当該当接部に従動コロを設けるようにすることで、回転駆動体のトルク増加を抑止すると共にロック部材の磨耗等を防止することができる。
【発明を実施するための最良の形態】
【００１８】
以下図面に基づいて、本発明の実施形態につき説明する。
図１は、本発明にかかるパンチユニット装置を、画像形成装置としての複写機の排紙部に適用した一実施形態を示す全体概略図である。本実施形態にかかる画像形成装置１は、原稿画像に基づいて画像を形成し、この画像を用紙Ｐへ転写する複写機本体部２と、複写機本体部２に読み取らせる原稿を供給する原稿供給部３と、複写機本体部２において画像が転写された用紙Ｐに対して後処理を施す後処理部４とを基本構成として備えている。本実施形態においては、本発明に係るパンチユニット装置５は、後処理部４の内部に設けられている。
【００１９】
まず、複写機本体部２について説明する。複写機本体部２は、原稿供給部３より供給される原稿から原稿画像を読み取る画像読取部２１と、この画像読取部２１で読み取られた原稿画像を用紙Ｐにトナー画像として転写する作像部２２と、この作像部２２で転写された用紙のトナー画像を定着する定着部２３と、前記作像部２２に向けて給紙する用紙Ｐを貯留する用紙貯留部２４とが箱形を呈した画像形成部用筐体２００に装着されることによって形成されている。
【００２０】
前記画像読取部２１は、その上面に配置され原稿の画像面が密着するコンタクトガラス２１０と、このコンタクトガラス２１０に密着した原稿画像を走査して読み取る画像読取機構とからなり、この画像読取機構は、移動しながら原稿画像に光を照射する移動光源２１１と、この移動光源２１１からの光の原稿画像での反射光を所定の光路に沿うように反射する複数のミラー２１２、２１３と、光路の光を収束させるレンズ部材２１４等を備えている。そして、移動光源２１１がコンタクトガラス２１０と平行に移動しながら原稿面に照射した光の反射光が、ミラー２１２、２１３及びレンズ部材２１４を介してＣＣＤ２１５へ入力されることで原稿画像が順次走査されるようになっている。
【００２１】
前記作像部２２は、周面に静電画像およびトナー画像が順次形成される感光体ドラム２２１と、この感光体ドラム２２１の周囲にその回転方向に沿って配置された、帯電部２２２、露光部２２３、現像部２２４、転写部２２５、及びクリーニング部２２６などを備えて構成されている。具体的には、帯電部２２２により図中の矢印方向に回転する感光体ドラム２２１が一様に帯電され、上記画像読取部２１で読み取られた画像情報に基づいて露光部２２３からのレーザービームにより感光体ドラム２２１上に静電潜像が形成され、現像部２２４により静電潜像に現像剤（トナー）が付着されてトナー像が形成される。
【００２２】
定着部２３は、上記作像部２２の用紙搬送方向の下流側に配置され、作像部２２においてトナー像が転写された用紙Ｐを、加熱ローラからなる一対の定着ローラ２３１によって挟んで加熱し、用紙Ｐ上にトナー像を定着させるものである。
【００２３】
用紙貯留部２４は、給紙カセット２４１，２４２を備え、前記作像部２２及び定着部２３へ用紙Ｐを供給するものである。実際には、給紙カセット２４１の用紙積載トレイ２４３の先端側に配設された前送りローラ２４４、給紙ローラ２４５により、用紙積載トレイ２４３上に載置された複数枚の用紙のうち、最上位の用紙Ｐを所定のタイミングで１枚ずつ順次給紙がなされる。これらのローラ２４４，２４５により送り出された用紙Ｐは、搬送路２５を経由して作像部２２へ搬送されるよう構成されている。
【００２４】
このような構成において、上記のようにトナー像が形成された感光体ドラム２２１に向けて、給紙カセット２４１，２４２のいずれかから用紙搬送路２５を経由して用紙Ｐが作像部２２に搬送され、この作像部２２の転写部６５にて感光体ドラム２１の表面におけるトナー像が用紙Ｐに転写される。そして、トナー像が転写された用紙Ｐは感光体ドラム２２１から分離され、搬送ベルト２６により定着部３に搬送されてトナー像が定着される。定着部３を通過した用紙Ｐは、さらに搬送されて排出ローラ対２６１を経由して用紙排出孔２６２から排出されるものである。
【００２５】
上記複写機本体部２の用紙排出孔２６２側には、後処理部４が配置される。後処理部４は、箱形を呈した後処理部用筐体４０の内部に、パンチユニット装置５、シート（用紙）搬送路６、分岐部４１、用紙排出部４５等を備えて構成されている。また前記用紙排出孔２６２の対応位置には用紙受入孔４０１が設けられ、この用紙受入孔４０１の上下部分には、用紙Ｐのガイドとなる用紙受入れガイド４０２，４０３が配置されている。
【００２６】
このような構成において、複写機本体２の搬出ローラ対２６１の駆動によって、用紙Ｐは後処理部４の用紙受入孔４０１を経由してシート搬送路６へ送り込まれる。そしてシート搬送路６上において、用紙Ｐの先端部を位置合わせして停止させた状態で、パンチユニット装置５によりパンチ孔が用紙Ｐの所定箇所に穿孔される。その後、分岐部４１において、穿孔処理が施された後の用紙Ｐの行き先に従って、当該用紙Ｐを図示省略の中間トレイ部もしくは所定の用紙排出部４５のいずれかに振り分けられる。用紙Ｐの行き先については、画像処理の種類に応じて自動的に、あるいは所定の設定操作を行うことにより決められるよう構成されている。
【００２７】
続いてパンチユニット装置５の構成及び動作について詳述する。図２は、本実施形態にかかるパンチユニット装置５の上面図であり、図３は、図２のＡ−Ａ線断面図である。このパンチユニット装置５は、回転駆動される回転軸（カム軸）５１と、回転軸５１の長手方向適所に配置固定された偏心カム５２とからなる回転駆動体５０、前記回転軸５１の水平方向と直交する方向にシート（用紙）を通過させるシート搬送路６、前記偏心カム５２に押圧されてシート搬送路６の上下方向に出没動作がなされるポンチ（穿孔部材）５３、前記シート搬送路６中を搬送される用紙Ｐをパンチングのため停止させたり排出したりする用紙送り機構６５、前記回転軸５１の端部に固定されているジャム処理ダイヤル７並びに胴部７１、及びシート搬送路６からポンチ５３が退避された状態における回転駆動体５０の回転軸５１の回転位置において、前記ジャム処理ダイヤル７の回転動作をロック可能とするロック部材７３を主たる構成として備えている。
【００２８】
前記回転駆動体５０の回転軸５１は一対のフレーム部材５０１、５０２に設けられた軸支部５０３、５０４により、その両端がそれぞれ回転自在に軸支されている。そして、回転軸５１の一端側（図では右側）には、この回転軸５１を軸回りに回転させるステッピングモータやＤＣサーボモータ等のモータＭが連結されている。本実施形態では、図２において点線で示すように、偏心カム５２が回転軸５１に対して３個取り付けられた場合を示しているが、この偏心カム５２の個数や配置箇所は、用紙Ｐに対して穿孔するパンチ孔の数や位置によって適宜決定される。
【００２９】
シート搬送路６は、図３の断面図に示すように、用紙Ｐが通過できる間隔（用紙の搬送経路となるスリット状の空間）を置いて上下方向に対向配置された２枚の板状体、つまり上板６１と下板６２とから構成されている。シート搬送路６の入り口側は、複写機本体部２から送られてくる用紙Ｐの受入を容易とするために、上板６１の端部は上向きに折曲され、下板６２の端部は下向きに折曲されている。また、上板６１と下板６２の用紙搬送方向中央部分には、穿孔部材としてのポンチ５３が上下方向にピストン動作が可能なように貫通孔６１１、６２１が同位置にそれぞれ設けられている。さらにシート搬送路６の出口側においては、前記用紙送り機構６５のための開口部６１２、６２１が上板６１と下板６２のそれぞれに設けられている。
【００３０】
用紙送り機構６５は、図示省略の駆動機構により回転駆動される駆動ローラ６５１と、この駆動ローラ６５１の回転により従動回転される従動ローラ６５２と、駆動ローラ６５１の回転動作、つまり回転と停止を制御する制御部６６とからなる。用紙送り機構６５は、用紙Ｐにポンチ５３にて穿孔するときには用紙Ｐを所定位置において停止させる必要があるので、このような用紙Ｐの搬送停止と、排紙とを行う。具体的には、未穿孔の用紙Ｐがシート搬送路６へ送出されてくると、先ず駆動ローラ６５１は停止状態とされ、駆動ローラ６５１と従動ローラ６５２との衝合部分で用紙Ｐの搬送は停止される。この状態でポンチ５３に下方向への押圧力が偏心カム５２により与えられて、用紙Ｐにパンチ孔が穿孔される。しかる後、駆動ローラ６５１が回転駆動され、これにより用紙Ｐには搬送力が与えられ、図中左方向へ向けて排紙されるものである。
【００３１】
次いで、図３及び図４に基づいて、ポンチ５３の出没機構について詳述する。ポンチ５３は、その根元部分が偏心カム５２の押圧力を受ける受け座５５に固定されると共に、先端刃部５３１側がガイド筒６３の筒状内周面６３１に沿ってガイドされ、上板６１の貫通孔６１１を貫通して用紙が搬送されるスリット状の空間に至り、さらに下板６２の貫通孔６２１を貫通するよう組み付けられている。
【００３２】
上記受け座５５は、偏心カム５２と直接接触して、偏心カム５２が回転したときにその外周の偏心軌道による押圧力を受容する平板部５５１と、該平板部５５１の中央下部に位置し、ポンチ５３の根元部分が固定される固定部５５２と、ポンチ５３の根元部分を収容する筒状部５５３とを備えている。この筒状部５５３の内径は、前記ガイド筒６３の外径よりも僅かに大きくされており、ポンチ５３は前述のようにガイド筒６３の筒状内周面６３１へ挿入される一方で、筒状部５５３はガイド筒６３に対して外嵌されるよう構成されている。さらにポンチ５３の根元部分の外周にはコイルバネ５６が嵌め込まれており、該コイルバネ５６は、その一端側（下端側）がガイド筒６３の上端縁で支持され、他端側（上端側）が筒状部５５３の底部で支持されている。なお、偏心カム５２の外周部には、偏心カム５２を覆い隠すようにコ字型の保護カバー５４が配置されており、該保護カバーの端部は平板部５５１の両側にそれぞれ取り外し可能に取り付けられている。
【００３３】
このような構成において、偏心カム５２の短径側外周が平板部５５１と接触している状態では（図３のポジション）、受け座５５（平板部５５１）は特段偏心カム５２から押圧力を受けていない。従ってこの状態では、ガイド筒６３の上端縁を支持点とするコイルバネ５６の弾発力にて、受け座５５が上方向へ弾発支持され、而してシート搬送路６からポンチ５３の先端刃部５３１が没した（上方向へ退避された）状態となっている。
【００３４】
これに対し、回転軸５１が回転駆動されて、偏心カム５２の長径側外周が平板部５５１と接触している状態では、図４に示すように、平板部５５１が偏心カム５２により下方向に押圧されることとなり、この押圧力によりコイルバネ５６は圧縮されると共に、受け座５５の筒状部５５３とガイド筒６３とが重合されることとなり、而してポンチ５３の先端刃部５３１が図中下方へ突出される動作が行なわれることになる。この突出動作により、ポンチ５３の先端刃部５３１は貫通孔６１１、６２１を通過し、シート搬送路６において位置決め停止されている用紙Ｐにパンチ孔が穿孔されるものである。
【００３５】
その後、回転軸５１がさらに回転駆動されると、再び偏心カム５２の短径側外周が平板部５５１と接触するようになり、これにより偏心カム５２による平板部５５１への押圧力は徐々に開放され、かかる動作に伴ってコイルバネ５６の復元力が発揮されて受け座５５全体が上方向へ持ち上げられることになる。この復元力（バネの弾発力）により、ポンチ５３の先端刃部５３１は、シート搬送路６から上方向へ退避されることとなる。
【００３６】
このように構成されたパンチユニット装置５においては、シート搬送路６中に紙詰まり等が生じて装置が停止した際に、マニュアル操作により詰まり用紙を排除できるようにするために、回転軸５１の一端部側にジャム処理ダイヤル７が備えられている。図５は、このようなジャム処理ダイヤル７の設置状況を示す拡大斜視図である。本実施形態にかかるジャム処理ダイヤル７は、回転軸５１に固定された円板状の部材で構成されており、その外周縁が波付け加工されている。紙詰まり発生時、もしポンチ５３が用紙Ｐを貫通した状態（先端刃部５３１がシート搬送路６に突出した状態）で停止していたならば、ユーザー等はこのジャム処理ダイヤル７を手で回す操作を行い、これにより回転軸５１及び偏心カム５２をマニュアル回転させて、ポンチ５３をシート搬送路６から退避させ、所要の詰まり用紙排除が行われるものである。
【００３７】
本発明では、上記したポンチ５３のシート搬送路６からの退避が確実に行われているかを容易に確認できるようにするために、シート搬送路６からポンチ５３が退避された状態における回転駆動体５０の回転軸５１の回転位置において、前記ジャム処理ダイヤル７の回転動作をロックさせるロック部材（ロック機構）７３を設けた点に特徴を有する。以下この点について、変形実施例を交えて詳細に説明する。
【００３８】
図５に示す例では、ジャム処理ダイヤル７に対し、ジャム処理ダイヤル７よりも径小である円筒状の胴部７１が一体的に設けられ、この胴部７１の表面に外周の一部を凹ませた態様の段差状の係止部７２を設け、この係止部７２に係合可能とされ、係合状態においてジャム処理ダイヤル７の回転動作をロックさせるロック部材７３を設けてロック機構が構成されている例を示している。
【００３９】
勿論、このような胴部７１を一体的に設けるまでもなく、ジャム処理ダイヤル７の外周縁部に上記のような係止部を設け、該係止部にロック部材７３を係合させる構成としても良い。この場合、既存のジャム処理ダイヤル７に係止部を設けるだけであるので、部品点数がさほど増加せず、また胴部を設けるスペースを省くことができるという利点がある。一方、本実施態様のように胴部７１をジャム処理ダイヤル７に一体的に設ける構成とすれば、ユーザー等が実際に手で触れて操作するダイヤルにロック用の凹凸等を設けずとも良くなり、ダイヤル操作時に違和感を与えたり、操作性を損なうといった危惧を払拭することができるという利点がある。
【００４０】
前記ロック部材７３は、図６に示した概略側面図（図５の機構を模式的に表しているので詳細な点で図５と合致していない部分がある）からも明らかな通り、本体部７３２の先端に位置し係止部７２と実際に係合される先端係合部７３１と、本体部７３２の根元部分に位置し本体部を首肯させるように回動支持する支持部７３３とを備えている。具体的には支持部７３３は、シート搬送路６の上板に立設された取り付け板６７に設けられている軸に、本体部７３２の根元部分に設けたフック部を引っ掛ける構成とされている。さらに、本体部７３１と前記取り付け板６７との間には付勢バネ７４が介在固定されており、支持部７３３を支点として、ロック部材７３の先端係合部７３１が胴部７１の表面に押し付けられるように常時付勢されている。
【００４１】
ここでロック部材７３の先端係合部７３１は、回転軸５１が一方向に回転されたときのみ、係止部７２と実際に係合されるよう構成されている。すなわち、回転軸５１の回転方向が、ポンチ５３による穿孔動作のための回転方向と、ジャム処理ダイヤル７によるジャム処理のための回転方向とが相反方向とされており、係止部７２とロック部材の先端係合部７３１とは、前記ジャム処理のための回転方向に回転軸５１が回転されたときにのみ互いに係合される機構とされている。この点を図６に基づいて説明する。
【００４２】
かかる機構を達成するために、胴部７１の表面あるいはジャム処理ダイヤル７の外周縁（図６ではこれらを総称してジャム処理ダイヤル部７０の外周という。以下同じ。）に設けられる係止部７２の形状を、図６（ａ）に示すように、その径方向中心に向けて内側へ切り込む形で設けられている段差部７２１と、この段差部７２１の深さに合わせてジャム処理ダイヤル部７０の表面の一部が削り取られた態様であって、段差部７２１の形成面と直角を為す態様の平坦面とされた誘導面７２２とで構成される形状とされている。すなわち、前記誘導面７２２の終端側７２２ａは段差部７２１の最深部と直角に連接されている一方で、誘導面の入口側７２２ｂはジャム処理ダイヤル部７０の外周面と実質的な段差がない状態で連接されている。
【００４３】
そしてロック部材７３は付勢バネ７４によって付勢力を与えられており、その先端係合部７３１が前記ジャム処理ダイヤル部７０の外周表面にその一部が常時当接されている。ここで回転軸５１が図６（ａ）の方向、すなわち通常運転時においてポンチ５３による穿孔動作を行わせる順方向に回転された場合、前記ロック部材７３の先端係合部７３１は前記段差部７２１に引っ掛けられることなくこれを乗り越え、回転軸５１の穿孔回転に影響を与えない。つまり、この穿孔回転方向では、先端係合部７３１は先ず係止部７２の段差部７２１と遭遇し、付勢バネ７４の付勢力によりその凹みに倣って首肯し、平坦な誘導面７２２にガイドされ、実質的に段差が存在しない入口側７２２ｂを通過し、再びジャム処理ダイヤル部７０の外周表面に沿って摺接を続けることになる。
【００４４】
一方、ジャム処理回転方向に前記回転軸５１が回転されたとき、ロック部材の先端係合部７３１は、先ず係止部７２における前記誘導面７２２の入口側７２２ｂと遭遇する。その後、前記誘導面７２２にガイドされ、ついには終端側７２２ａに至り段差部７２１と当接する。この時点において、段差部７２１とロック部材の先端係合部７３１とがフック係合することとなり、ジャム処理ダイヤル部７０の回転動作はロックされることとなる。ここで、前記のように回転動作がロックされる回転位置のとき、図６（ｂ）に示すように、ポンチ５３の先端刃部５３１がシート搬送路６から退避されるよう、係止部７２（段差部７２１）の設置位置が定められている。
【００４５】
従ってユーザー等は、紙詰まりなどによって装置が停止してしまった場合、ジャム処理ダイヤル部７０をジャム処理回転方向に回転させ、それ以上ダイヤルを回転できなくなれば（係止部７２にロック部材の先端係合部７３１が係合されたことになる）、自ずとポンチ５３の先端刃部５３１が退避ポジションに位置したことが確認できるようになるので、容易にジャム処理作業を行うことが出来るようになる。
【００４６】
図７は、ジャム処理ダイヤル部７０の他の実施形態を示している。図７（ａ）に示す例は、ジャム処理ダイヤル部７０ａの外周に、その外径が徐々に増加され、一定の径まで増加させたポイントで急激に元の径に戻すことで形成された段差部７２１ａを備える係止部７２ａとした例である。このような係止部７２ａでも、図６に示した例と同様に、ロック部材７３ａを常時付勢バネで付勢しておけば、ロック部材７３ａの先端係合部７３１ａと段差部７３１ａとの係合が、一方向（ジャム処理回転方向）にジャム処理ダイヤル部７０ａに回転されたときのみ行われるようにすることができる。
【００４７】
図７（ｂ）に示す例は、ロック部材７３ｂを常時付勢バネで付勢するのではなく、ジャム処理作業時にのみ当該ロック部材７３ｂを付勢状態でジャム処理ダイヤル部７０ｂに摺接させる場合に用いることができる構成である。すなわち、ジャム処理ダイヤル部７０ｂの外周に凹所を設けてこれを係止部７２ｂとし、また該係止部７２ｂに嵌まり込む形状の先端係合部７３１ｂを備えるロック部材７３ｂとして、両者の係合によりロック機構を構成したものである。この場合、例えばロック部材７３ｂにスライド機構等を付設しておき、必要時にジャム処理ダイヤル部７０ｂまでスライド移動させる等の手段を採ると良い。ロック部材を常時付勢バネで付勢してその一部をジャム処理ダイヤル部に摺接させる方法によると、両者の接触による磨耗や摩擦熱発生の危惧があるが、かかる実施態様によればそのような懸念を払拭できる。
【００４８】
図７（ｃ）も同様に、ジャム処理作業時にのみ当該ロック部材７３ｃを付勢状態でジャム処理ダイヤル部７０ｃに摺接させる場合に好適な態様の一つであって、ジャム処理ダイヤル部７０ｃの外周に凸部を設けてこれを係止部７２ｃとし、また該係止部７２ｃと係合する形状の先端係合部７３１ｃを備えるロック部材７３ｃとして、両者の係合によりロック機構を構成したものである。
【００４９】
このように、本発明においては、図６や図７（ａ）の例のようにロック部材７３を付勢バネ等で付勢して常時ジャム処理ダイヤル部７０の外周に摺接させておいても、図７（ｂ），（ｃ）の例のように摺接させなくても良いが、ユーザーの手間を軽減するという観点からは、摺接させる方式の方が好ましい。この場合、前述の通り磨耗や摩擦熱発生の危惧があるが、かかる問題は例えば図８に示すように、ロック部材７３の先端係合部７３１のジャム処理ダイヤル部７０との当接部分に、回転軸７３１２で軸支された従動コロ７３１１を配置し、ジャム処理ダイヤル部７０の回転（すなわち回転軸５１の回転）に従って前記従動コロ７３１１が回転されるよう構成することで、摩擦力を軽減させるようにすることが好ましい。この他、従動コロ７３１１に代えて、先端係合部７３１のジャム処理ダイヤル部７０との当接部分に低摩擦コーティング（例えばフッ素樹脂コーティング）等を施すようにしても良い。
【図面の簡単な説明】
【００５０】
【図１】本発明にかかるパンチユニット装置を、画像形成装置としての複写機の排紙部に適用した一実施形態を示す全体概略図である。
【図２】本発明にかかるパンチユニット装置の上面図である。
【図３】図２のＡ−Ａ線断面図である。
【図４】偏心カム５２によるポンチ５３の出没状況を説明するための一部破断側面図である。
【図５】本発明にかかるパンチユニット装置におけるジャム処理ダイヤル部分を拡大して示す斜視図である。
【図６】ジャム処理ダイヤル部の動作を説明するための概略図である。
【図７】ジャム処理ダイヤル部の他の実施形態を示す概略図である。
【図８】ロック部材の好ましい形態を示す概略図である。
【符号の説明】
【００５１】
１      画像形成装置
２      複写機本体部
４      後処理部
５      パンチユニット装置
５０    回転駆動体
５１    回転軸
５２    偏心カム
５３    ポンチ（穿孔部材）
６      シート搬送路
７      ジャム処理ダイヤル
７０    ジャム処理ダイヤル部
７１    胴部
７２    係止部
７２１  段差部
７３    ロック部材（ロック機構）
７３１  先端係合部
７３１１  従動コロ
【図１】
2005096005.tif 000003
【図２】
2005096005.tif 000004
【図３】
2005096005.tif 000005
【図４】
2005096005.tif 000006
【図５】
2005096005.tif 000007
【図６】
2005096005.tif 000008
【図７】
2005096005.tif 000009
【図８】
2005096005.tif 000010